【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
ユーザに呼吸ガスを供給するためのユーザインターフェースエレメントであって、
ガスの第１の流れを受け入れる第１オリフィスと、ガスの第２の流れを当該ユーザインターフェースエレメント外に流れさせる１以上の第２オリフィスとを有し、前記第１オリフィス及び前記１以上の第２オリフィスが、当該ユーザインターフェースエレメントの使用の間において前記ガスの第２の流れが（ｉ）ユーザの皮膚表面上を流れて該皮膚表面を冷却すると共に前記１以上の第２オリフィスを介して当該ユーザインターフェースエレメント外に流れるように、及び／又は（ii）当該ユーザインターフェースエレメントの内部に存在する如何なるＣＯ２の少なくとも８５％を当該ユーザインターフェースエレメントから前記１以上の第２オリフィスを介して掃き出すように、互いに対して配置され、
前記ガスの第２の流れは、当該ユーザインターフェースエレメントの使用の間においてユーザが吸入していない場合、当該ユーザインターフェースエレメントの意図的漏れ流量の０.１％以上であり、当該ユーザインターフェースエレメントの使用の間においてユーザが吸入していない場合、当該ユーザインターフェースエレメントの前記意図的漏れ流量の１０％以下である、
ユーザインターフェースエレメント。
【請求項２】
当該ユーザインターフェースエレメントが、クッションを受け入れるように構造化された殻部材を含み、前記第１オリフィス及び前記１以上の第２オリフィスが該殻部材に設けられる、請求項１に記載のユーザインターフェースエレメント。
【請求項３】
前記殻部材が１以上のフローセグメントを含み、これらフローセグメントの各々は前記殻部材の第１端に位置する流入口と該流入口から離隔された１以上の開放オリフィスとを備えたチェンバを含み、これら１以上の開放オリフィスの各々は前記第２オリフィスの１つであり、前記殻部材の前記第１端は、前記クッションの内部チェンバが前記フローセグメントの各々と流体的に連通状態となるように前記クッションに結合されるよう構造化されており、前記ガスの第１の流れが前記第１オリフィスを介して受入されることに応答して、当該ユーザインターフェースエレメントは前記ガスの第２の流れの少なくとも一部を、前記フローセグメントの各々を介して当該フローセグメントの前記流入口から該フローセグメントの前記開放オリフィスへと流れるようにさせる、請求項２に記載のユーザインターフェースエレメント。
【請求項４】
前記１以上のフローセグメントが複数のフローセグメントであり、該複数のフローセグメントは、前記殻部材の第１部分に配置されると共に前記ユーザの鼻の側部上の流れを制御するように構造化された第１及び第２フローセグメントと、前記殻部材の第２部分の対向する側に配置されると共に前記ユーザの頬上の流れを制御するように構造化された第３及び第４フローセグメントと、前記殻部材の第３部分に配置されると共に前記ユーザの頤上の流れを制御するように構造化された第５フローセグメントと、を含むか、
前記１以上のフローセグメントが複数のフローセグメントであり、前記殻部材は該複数のフローセグメントにより囲まれた中央チェンバを含み、当該ユーザインターフェースエレメントは前記中央チェンバ内に受け入れられる内側殻部材を更に有し、該内側殻部材は前記殻部材が前記クッションに結合された場合に該クッションの前記内部チェンバと流体的に連通するように構造化された第２内部チェンバを画定し、該第２内部チェンバは前記呼吸ガスの流れを受け入れると共に該呼吸ガスの流れを前記クッションの内部チェンバに供給するように構造化されているか、
前記１以上のフローセグメントが複数のフローセグメントであり、当該ユーザインターフェースエレメントは複数のカバー部材を更に有し、これらカバー部材の各々は前記殻部材に対し前記開放オリフィスのうちの選択された１つ上に選択的に取り付けられるように構造化されており、前記カバー部材の各々は、限られたガスの流れを通過させる多孔性材料、又はガスの流れを防止する非多孔性材料の何れかから形成されるか、
前記殻部材の前記第１端から前記クッションの前記内部チェンバ内へ延びる延長部材を更に有し、該延長部材は、前記殻部材が前記クッションに結合された場合に、当該延長部材の遠端と前記クッションの第１端部との間に入口チャンネルを画定するか、又は
前記殻部材は前記クッションに結合され、（ｉ）前記クッションには該クッションの１以上の壁を経て延びる複数のチャンネルが穿孔されていること；（ii）前記クッションの内側表面上に５０Ｗ／ｍＫ以上の熱伝導度を持つ材料の層が設けられ、該層は前記内側表面に沿って実質的に均一な温度をもたらし、該層が（ａ）２０ｎｍ〜１００ｎｍの厚さを有する材料の薄膜、及び（ｂ）Ａｕ、Ｃｕ、Ａｇ、Ｗ、非晶質ダイヤモンド、グラファイト、アルミニウム窒化物、ホウ素窒化物又はグラフェンから形成されたものの何れか一方であること；（iii）前記クッションの内側表面に複数の窪みが設けられて、変化する表面テクスチャを形成し、該変化する表面テクスチャが前記内側表面上に乱れたガスの流れを生じさせるようにすること；及び、（ｉｖ）前記クッションの本体内に複数の熱伝導性粒子又は繊維が設けられることのうちの少なくとも１つである、
請求項３に記載のユーザインターフェースエレメント。
【請求項５】
当該ユーザインターフェースエレメントがクッション部材を有し、該クッション部材に前記１以上の第２オリフィスが設けられる、請求項１に記載のユーザインターフェースエレメント。
【請求項６】
（ｉ）前記クッション部材が、前記ユーザの顔に係合するように構造化された第１クッション端部と該第１クッション端部とは反対側の第２クッション端部とを有するクッションであり、接触部が前記第１クッション端部の一部として設けられるか、又は（ii）前記クッション部材が、第１クッション端部と該第１クッション端部とは反対側の第２クッション端部とを有するクッション、及び前記第１クッション端部に結合される裏地部材を含み、前記接触部が該裏地部材の一部として設けられる、請求項５に記載のユーザインターフェースエレメント。
【請求項７】
前記クッション部材が、
−  第１クッション端部を有するクッションと、
−  前記第１クッション端部に隣接して配置されるスペーサ／裏地部材であって、前記１以上の第２オリフィスを含む多孔性材料から形成されるスペーサ／裏地部材と、
を有する、請求項５に記載のユーザインターフェースエレメント。
【請求項８】
前記スペーサ／裏地部材に結合された密閉部を更に有し、該密閉部は前記スペーサ／裏地部材の第１辺の中間から、該スペーサ／裏地部材の頂部を介して、該スペーサ／裏地部材の第２辺まで延在し、前記密閉部は前記スペーサ／裏地部材の全深さにわたって延在し、当該ユーザインターフェースエレメントがユーザにより装着された場合に、前記スペーサ／裏地部材のうちの前記ユーザの目に近い辺が前記密閉部により密閉されて、該スペーサ／裏地部材からユーザの目の方向へのガスの流れを最少にする、請求項７に記載のユーザインターフェースエレメント。
【請求項９】
当該ユーザインターフェースエレメントはクッション部材であり、前記第１オリフィス及び前記１以上の第２オリフィスは該クッション部材に設けられ、前記ガスの第１の流れは前記第１オリフィスにおいて前記クッション部材に侵入し、前記ガスの第２の流れは前記１以上の第２オリフィスにおいて前記クッション部材から流出する、請求項１に記載のユーザインターフェースエレメント。
【請求項１０】
前記クッション部材は当該ユーザインターフェースエレメントの使用の間において前記ユーザの皮膚に接触する接触部を有し、該接触部が、各々が或る高さを有する複数のギャップを画定する複数の表面凹凸を備えたテクスチャ化された表面を含み、前記ギャップの少なくとも１つが前記第２オリフィスの１つであり、前記高さの各々が１００ミクロンより大きい、請求項５又は請求項９に記載のユーザインターフェースエレメント。
【請求項１１】
（ｉ）前記クッション部材がクッションであり、該クッションに前記第１オリフィス及び前記１以上の第２オリフィスが設けられるか、又は（ii）前記クッション部材がクッション及び該クッションに結合されたスペーサ／裏地部材であり、前記第１オリフィスが前記クッションに設けられると共に、前記１以上の第２オリフィスが前記スペーサ／裏地部材に設けられる、請求項９に記載のユーザインターフェースエレメント。
【請求項１２】
当該ユーザインターフェースエレメントが、クッションに結合されるように構造化された殻部材であり、前記第１オリフィス及び前記１以上の第２オリフィスが該殻部材に設けられ、前記ガスの第１の流れは前記第１オリフィスにおいて前記殻部材に侵入し、前記ガスの第２の流れは前記１以上の第２オリフィスにおいて前記殻部材から流出する、請求項１に記載のユーザインターフェースエレメント。
【請求項１３】
請求項１ないし１２の何れか一項に記載のユーザインターフェースエレメントを使用する、ユーザインターフェース装置。
【請求項１４】
ユーザのためのユーザインターフェース装置を作製する方法であって、前記ユーザインターフェース装置は、該ユーザインターフェース装置がユーザにより装着された場合に該ユーザの顔の一部に係合するよう構造化された接触部を有するクッション部材を有し、該クッション部材はチェンバを画定し、前記接触部は、各々が或る高さを有する複数のギャップを画定する複数の表面凹凸を備えたテクスチャ化された表面を含み、当該方法が、
−  ユーザの皮膚の表面粗さを評価するステップと、
−  前記ギャップの各々の実際の高さを、評価された表面粗さに基づいて、前記ユーザインターフェース装置がユーザにより装着されたことに応答した前記ギャップの各々の実効高が１００ミクロンより大きくなるように選択するステップと、
を有する、方法。